(57)【特許請求の範囲】
【請求項１】
遊技機本体の前面側に取り付けられた略四角形状の遊技盤を備え、略垂直な軸を中心に回動自在となるように前記遊技盤の一方の側端側が前記遊技機本体に軸着され、前記遊技盤の四隅を前記遊技機本体に固定する移動自在な操作レバーを前記遊技機本体又は前記遊技盤の一方に設け、他方に形成されたレバー挿通孔に前記操作レバーを挿通させて前記操作レバーを移動させると、前記操作レバーが前記レバー挿通孔の周囲に係止して前記遊技盤を回動させることが不能になる遊技機であって、
前記レバー挿通孔とともに前記操作レバーが挿通されるレバー挿通孔を有し、前記遊技盤を前記遊技機本体に軸着する軸着部材を備え、この軸着部材を前記遊技盤の軸側の上下に取り付けたことを特徴とする遊技機。
【請求項２】
前記軸着部材に、前記遊技盤の前面を覆う前面扉を回動自在に軸着したことを特徴とする請求項１記載の遊技機。
【請求項３】
前記操作レバーを回動自在に取り付けるとともに、前記遊技盤の軸側に前記操作レバーが略水平な状態で挿通される前記レバー挿通孔を形成し、
前記操作レバーを前記レバー挿通孔に挿通させた後に前記操作レバーを略垂直な状態に回動させると前記操作レバーが前記レバー挿通孔の周囲に係止することを特徴とする請求項１又は２に記載の遊技機。
【発明の詳細な説明】
【技術分野】
【０００１】
略四角形状の遊技盤が遊技機本体の前面側に取り付けられた遊技機に関するものである。
【背景技術】
【０００２】
パチンコ機では、異なる機種の間でも多くの共通部品が使用されているため、異なる機種間で共通部品を使用することにより、機種交換の際に発生するコストを低減させることが各メーカーにとって課題となっている。例えば特許文献１では、遊技盤と遊技盤の前面を覆うガラス扉とが取り付けられた枠状の支持部材を本体（本体基部）に取り付けることが開示されている。そして、このような構造にすることによって遊技機本体側の部品を共通化しながらもパチンコ機のイメージを一新することができる。
【特許文献１】特開２００５−２０５０９２号公報
【発明の開示】
【発明が解決しようとする課題】
【０００３】
しかしながら特許文献１で示すパチンコでは、支持部材の一方の側端側を本体に軸着して支持部材を略垂直な軸を中心に回動自在とし、他方の側端側を操作レバーによってパチンコ機本体に固定しているが、この場合、支持部材の軸側では、その前後方向において本体に対する相対的な位置精度が低くなり、打ち出されたパチンコ球が遊技盤に接触して軌道が変化してしまうことがあった。パチンコ球の軌道が変化してしまうと遊技を正常に行うことができないため、遊技盤を取り付けた後に再び遊技盤の位置決めを行う必要があり、このことは、工程数が増加してパチンコ機の製造コストが上昇する要因となっていた。
【０００４】
本発明は、上記課題を解決するためになされたもので、遊技盤の位置決めを行う手間を省いて製造コストを低減することができるようにし、かつ遊技球の発射軌道の精度を向上させる遊技機を提供することを目的とする。
【課題を解決するための手段】
【０００５】
上記目的を達成するために、本発明の遊技機は、遊技機本体の前面側に取り付けられた略四角形状の遊技盤を備え、略垂直な軸を中心に回動自在となるように前記遊技盤の一方の側端側が前記遊技機本体に軸着され、前記遊技盤の四隅を前記遊技機本体に固定する移動自在な操作レバーを前記遊技機本体又は前記遊技盤の一方に設け、他方に形成されたレバー挿通孔に前記操作レバーを挿通させて前記操作レバーを移動させると、前記操作レバーが前記レバー挿通孔の周囲に係止して前記遊技盤を回動させることが不能になる遊技機であって、前記レバー挿通孔とともに前記操作レバーが挿通されるレバー挿通孔を有し、前記遊技盤を前記遊技機本体に軸着する軸着部材を備え、この軸着部材を前記遊技盤の軸側の上下に取り付けたものである。なお、「遊技盤の四隅」とは遊技盤の遊技機本体に対する位置決めがなされて、遊技盤がガタつきなく遊技機本体に固定される範囲を示し、必ずしも遊技盤の角部とは限らない。
【０００９】
なお、前記軸着部材に、前記遊技盤の前面を覆う前面扉を回動自在に軸着することが好ましい。
【００１０】
なお、前記操作レバーを回動自在に取り付けるとともに、前記遊技盤の軸側に前記操作レバーが略水平な状態で挿通される前記レバー挿通孔を形成し、前記操作レバーを前記レバー挿通孔に挿通させた後に前記操作レバーを略垂直な状態に回動させると前記操作レバーが前記レバー挿通孔の周囲に係止することが好ましい。
【発明の効果】
【００１１】
本発明の遊技機によれば、遊技盤が略垂直な軸を中心に回動自在となるように前記遊技盤の一方の側端側を遊技機本体に軸着し、前記遊技盤の四隅を前記遊技機本体に固定する移動自在な操作レバーを前記遊技機本体又は前記遊技盤の一方に設け、他方に形成されたレバー挿通孔に前記操作レバーを挿通させて前記操作レバーを移動させると、前記操作レバーが前記レバー挿通孔の周囲に係止して前記遊技盤を回動させることが不能になるので、遊技盤を遊技機本体に軸着しても遊技盤の前後方向の位置決め、特に遊技盤の軸側の位置決めを正確に行うことが可能になり、遊技盤の位置決めを行う手間を省くことが可能になって遊技機の製造コストを低減することができる。
【００１２】
また、略垂直な軸を中心に回動自在となるように前記遊技機本体に軸着され、前記遊技盤を軸側で支持する支持部材を備え、前記遊技盤は前記支持部材を介して前記遊技機本体に軸着されているので、遊技盤のみを交換することが可能になるので、機種交換の際に遊技盤のみを交換する場合にも対応でき、これにより、機種変更の際のコストを低減することができる。
【００１３】
また、前記操作レバー又は前記レバー挿通孔を備え、前記遊技盤を前記遊技機本体に軸着する軸着部材を前記遊技盤の軸側の上下に取り付けたので、遊技機の部品テンスを減らすことが可能になり、遊技機の製造コストを低減できる。
【００１４】
また、前記操作レバーを回動自在に取り付けるとともに、前記遊技盤の軸側に前記操作レバーが略水平な状態で挿通される前記レバー挿通孔を形成し、前記操作レバーを前記レバー挿通孔に挿通させた後に前記操作レバーを略垂直な状態に回動させると前記操作レバーが前記レバー挿通孔の周囲に係止するので、遊技盤を回動させた際の操作レバーの軌道を考慮してレバー挿通孔の長さを形成でき、これにより、操作レバーをレバー挿通孔に挿通することが容易になって、作業を効率よく行うことができる。
【００１５】
遊技盤の前面を覆う前面扉を前記遊技盤と一体に取り付けたので、遊技盤の位置決めに併せて前面扉も位置決めされ、前面扉の遊技機本体に対する位置精度も高くすることができる。
【発明を実施するための最良の形態】
【００１６】
図１及び図２に示すように、パチンコ機（遊技機）１０は、外枠１１、本体（遊技機本体）１２、遊技盤ユニット１３から構成されている。外枠１１は木製の板を矩形の枠状に連結して形成されており、遊技場の島設備に固定される。本体１２は外枠１１に対して回動自在に軸着されている。遊技盤ユニット１３は本体１２に対して回動自在でかつ着脱自在に軸着されている。本体１２は、上下に分割された矩形枠状に形成されており、その下部には下部ユニット１２ａが取り付けられている。下部ユニット１２ａの前面には操作ハンドル１４やパチンコ球の受皿１５が設けられており、下部ユニット１２ａ内には図示しないパチンコ球発射装置などが設けられている。
【００１７】
遊技盤ユニット１３は、略矩形状に形成された遊技盤１６と遊技盤１６の前面を覆うガラス扉（前面扉）１７と遊技盤１６及びガラス扉１７が着脱自在に取り付けられた支持部材１８とを備えている。遊技盤１６は盤面１６ａと前面枠１６ｂとからなる。盤面１６ａと前面枠１６ｂとは一体に取り付けられている。盤面１６ａの前面には前面枠１６ｂが取り付けられている。前面枠１６ｂはその開口部分が略円形に形成されており、前面枠１６ｂが盤面１６ａに取り付けられると遊技領域が画定される。盤面１６ａの遊技領域には液晶ディスプレイ１９や各種の入賞口２０、アタッカ２１などが設けられている。
【００１８】
ガラス扉１７は図１に示す閉じ位置と図２に示す開き位置との間で開閉自在に軸支されており、その中央には透明なガラス窓２２が取り付けられている。ガラス窓２２は釣鐘状の窓枠２２ａと窓枠２２ａに嵌め込まれたガラス２２ｂとからなる。窓枠２２ａはガラス扉１７に対してその内面側で回動自在となるように取り付けられている。窓枠２２ａはガラス扉１７の中央部に形成された開口１７ａに嵌め込まれてロックされる。窓枠２２ａがロックされるとガラス窓２２はガラス扉１７と一体に回動する。ガラス扉１７を閉じ位置に位置するときにはガラス窓２２を通して遊技盤１６の前面を視認することができ、この状態で遊技が行われる。
【００１９】
図３に示すように遊技盤１６の盤面１６ａの背面には当たりか否かを決定するメイン基板３０や液晶ディスプレイ１９での画像の表示制御を行うサブ基板３１、入賞口２０に入賞したパチンコ球を回収する球通路などが取り付けられた裏セット板３２が取り付けられている。
【００２０】
本体１２には枠状に形成された略矩形状の背板３３が取り付けられている。背板３３の内面でその四隅には遊技盤１６を固定する操作レバー３４が背板３３から前方に突出する柱軸３４ａを中心に回動自在となるように取り付けられている。操作レバー３４は細長な形状に形成されている。操作レバー３４はその長手方向を垂直にした状態と水平にした状態の両方で保持させることができ、各状態に回動させるときにはクリック感が付与されている。なお、柱軸３４ａの高さは遊技盤１６の板厚よりも長く、操作レバー３４が前面枠１６ｂの前面で回動自在となるように突出する高さとなっている。
【００２１】
図４に示すように、支持部材１８は柱状で、かつ長手方向に沿ってクランク状になっている。前面枠１６ｂの一方の側端面（正面から見て左方側）には一対の角柱状の軸が下方に延びるようにした遊技盤用軸４０が上下に設けられている。支持部材１８には、前面枠１６ｂと対面する面１８ｂの上下に一対の四角形状の軸受け孔を有する遊技盤用軸受け４１が取り付けられている。遊技盤用軸４０は遊技盤用軸受４１の軸受け孔に回動不能に嵌め込まれて取り付けられる。また、前面枠１６ｂの軸側の下面は、支持部材１８に設けた支持面１８ｃにて載置される。これにより、遊技盤１６は支持部材１８に対して回動自在で、かつ着脱自在となり、また、遊技盤１６はその軸側で支持部材１８に支持され、また、遊技盤１６はその軸側で支持部材１８の遊技盤用軸受け４１及び支持面１８ｃにて支持される。なお、支持部材１８には前面枠１６ａのレバー挿通孔４６と対向し、このレバー挿通孔４６よりも一回り大きい開口となる切り欠き１８ｄが上下に取り付けられている。
【００２２】
支持部材１８には、互いに向き合うガラス扉用軸受け４２ａ，４２ｂがその上下から前方に突出するように設けられている。上側のガラス扉用軸受け４２ａの下面には、ガラス扉１７の上面でその一方の側端側から上方に突出するように設けられたガラス扉用軸４３ａが取り付けられる。また、下側のガラス扉用軸受け４２ｂの上面には、上方に突出したガラス扉用軸４３ｂ設けられており、ガラス扉用軸４３ｂはガラス扉１７の下面に形成された軸孔（図示せず）に挿通されて軸支される。これにより、ガラス扉１７は支持部材１８に対して回動自在で、かつ着脱自在となっている。なお、ガラス扉１７の軸支側と反対側の側端部には支持部材１８に固定された遊技盤１６の前面枠１６ａに軸支された回動自在な鍵爪１６ｃにより係合自在とさせる係合突起１７ｂが設けられており、遊技盤ユニット１３の運搬時において軸支されたガラス扉１７の回動規制をできるようにしている。
【００２３】
上側のガラス扉用軸受け４２ａの上面には本体用軸４４が上方に突出して形成されている。本体用軸４４は本体１２に設けられた本体用軸受け４５（図３参照）に挿入され軸支される。また、下側のガラス扉用軸４３ｂの下面には図示しない軸孔が形成されており、これが本体１２から上方に突出するように形成された図示しない本体用軸に挿入される。これにより、支持部材１８に固定された遊技盤ユニット１３は本体１２に対して回動自在で、かつ着脱自在に取り付けられる。なお、遊技盤ユニット１３が本体１２に取り付けられるとガラス扉用軸４３ａ，４３ｂと本体用軸４４、本体１２の図示しない本体用軸との軸芯は同一になる。
【００２４】
前面枠１６ｂの四隅には前後に貫通したレバー挿通孔４６が形成されている。レバー挿通孔４６は前述した操作レバー３４と略同一形状になっており、操作レバー３４よりも一回り大きくなっている。
【００２５】
図５及び図６に示すように、レバー挿通孔４６を挿通させた操作レバー３４は前面枠１６ａの前方に突出し、操作レバー３４の長手方向を水平な状態として遊技盤１６と本体１２との固定を解除する取り外し位置（図５に示す位置）と、操作レバー３４の長手方向を垂直な状態として遊技盤１６と本体１２とを固定する固定位置（図６に示す位置）との間で回動される。固定位置では操作レバー３４が前面枠１６ｂの前面でレバー挿通孔４６の周囲に係止し、遊技盤１６を本体１２から取り外すことが不能になる。取り外し位置では操作レバー３４と前面枠１６ｂとの係止が解除され、かつ、操作レバー３４をレバー挿通孔４６から抜き出すことが可能になるので遊技盤１６を本体１２から取り外すことが可能になる。これにより、遊技盤１６は本体１２に着脱自在に取り付けられる。
【００２６】
上記のように構成された遊技盤１６を本体１２に取り付けるには、先ず支持部材１８に遊技盤１６を固定させた後にガラス扉１７を軸支させ、ガラス扉１７を遊技盤１６の前面を覆う閉じ状態にて回動規制をするべく鍵爪１６ｃを回動させ係合突起１７ｄに係合させ遊技盤ユニット１３を組み立てる。遊技盤ユニット１３の組み立てが終了した後、支持部材１８の本体用軸４４を本体１２の本体用軸受け４５に軸支させるとともに下側のガラス扉用軸４３ｂの下面に設けた軸孔を本体１２側の図示しない本体用軸に軸支させる。そして、鍵爪１６ｃを回動させ係合突起１７ｄとの係合状態を解除させ、ガラス扉１７を開放させた後、遊技盤ユニット１３を支持部材１８を介して回動させて切り欠き１８ｄ及び前面枠１６ｂの四隅に設けられた全ての操作レバー３４を挿通させる。その後、各操作レバー３４を取り外し位置から固定位置に回動させ、ガラス扉１７を閉じ状態とし本体１２側に設けた施錠装置にてロック状態とさせる。これにより、遊技盤１６と本体１２との相対的な位置決めが行われて両者が固定され、特に遊技盤１６の軸側の位置決めが正確に行われて遊技盤１６と本体１２とが固定される。遊技盤１６を取り外すには操作レバー３４を固定位置から取り外し位置に回動させ、切り欠き１８ｄ及びレバー挿通孔４６から操作レバー３４を引き抜くように遊技盤ユニット１３を回動させ、遊技盤ユニット１３を軸支する支持部材１８の本体用軸４４及び下側のガラス扉用軸４３ｂの下面に設けた軸孔から図示しない本体１２側の本体用軸を取り外せばよい。これにより、遊技盤ユニット１３の位置決めを行う手間を省いて容易に着脱自在となるようにできる。更に、遊技盤ユニット１３の下方で、かつ本体１２側に設けた発射装置によりパチンコ球を発射し、発射したパチンコ球を遊技盤１６に設けたガイドレールに案内させる際の発射軌道の精度を向上させることができるようになる。
【００２７】
上記実施形態では、支持部材１８を介して遊技盤１６を本体１２に軸着したが、支持部材を介さずに遊技盤１６を直接本体１２に軸着してもよい。この場合、例えば図７に示すように遊技盤１３はその一方の側端部の上下にレバー挿通用孔５３と対向し連通するレバー挿通孔５４を備えている。遊技盤１３にはネジ７０などで上側の軸着部材５０ａと下側の軸着部材５０ｂとが取り付けられている。上側の軸着部材５０ａは、遊技盤１３の一方の側端部から外方に突出する筒状の軸受け部６０ａを有する。下側の軸着部材５０ｂは、遊技盤１３の一方の側端部から外方に突出し、筒状の軸受け部６０ａの開口と同軸となる第１軸６１と第２軸６２とを有する。ガラス扉１７の一方の側端部には、軸受け部６０ａの下側開口６０ｂに挿入することで軸支される扉側軸６３と、第１軸６１が挿入されることで軸支させる扉側軸受け孔６４とが設けられている。本体１２側に設けた遊技盤１３の設置空間８０となる凹状内部における上面８１と下面８２には、軸受け部６０ａの上側開口６０ｃが挿入されることで軸支する本体側軸６５と、第２軸６２を挿入することで軸支させる本体側軸受け孔６６とを有する。これにより、支持部材１８を設けるよりも軽量化を図ることができる。
【００２８】
上記実施形態では、遊技盤１６を盤面１６ａと前面枠１６ｂとから構成したが、遊技盤１６は盤面のみで構成してもよいし、前面枠のみで構成してもよい。
【００２９】
上記実施形態では、レバー挿通孔４６をその長手方向が水平となるように形成したが、必ずしも水平にしなくてもよく、また、孔ごとにその向きが異なっていてもよい。
【００３０】
上記実施形態では、回動式の操作レバー３４を設けたが例えばスライド式の操作レバーを設け、操作レバーを固定位置と取り外し位置とでスライドさせ、固定位置にスライドさせたときにレバー挿通孔の周囲に操作レバーを係止させてもよい。
【００３１】
上記実施形態では、パチンコ球を使用するパチンコ機に本発明を適用したが、例えばパチンコ球を投入して遊技者がリールの回転開始操作を行った後に遊技者によるリールの停止操作に応答してリールが停止するスロットマシンなど、略矩形状の遊技盤が遊技機本体の前面側に取り付けられた遊技機であれば適宜の遊技機に本発明を適用してよい。
【図面の簡単な説明】
【００３２】
【図１】本発明を適用したパチンコ機の外観を示す斜視図である。
【図２】ガラス窓を開放した状態を示す斜視図である。
【図３】遊技盤ユニット全体を開放した状態を示す斜視図である。
【図４】遊技盤ユニットの分解斜視図である。
【図５】レバーを取り外し位置にした状態を示す正面図である。
【図６】レバーを固定位置にした状態を示す正面図である。
【図７】遊技盤を本体に直接軸着する際に用いる軸着部材の斜視図である
【符号の説明】
【００３３】
１０  パチンコ機（遊技機）
１２  本体（遊技機本体）
１３  遊技盤ユニット
１６  遊技盤
１６ａ  盤面
１６ｂ  前面枠
１７  ガラス扉（前面扉）
１８  支持部材
３４  操作レバー
４６  レバー挿通孔
５０  軸着部材
【図１】
0004699248.tif 000002
【図２】
0004699248.tif 000003
【図３】
0004699248.tif 000004
【図４】
0004699248.tif 000005
【図５】
0004699248.tif 000006
【図６】
0004699248.tif 000007
【図７】
0004699248.tif 000008